(57)【特許請求の範囲】
【請求項１】
中央演算回路、該中央演算回路からの指示を受けて画像を表示するモニター、運転免許証を撮像して、少なくとも運転免許所持者の漢字氏名データを有する運転免許所持者データとし、該運転免許所持者データを前記中央演算回路に送信する撮像手段、少なくとも多機能携帯電話機所持者の漢字氏名データを含む多機能携帯電話機所持者の属性データを記憶した主記憶部、前記中央演算回路の指示を受けて、データの送信を行う送信手段、および前記中央演算回路の指示を受けて、データの受信を行う受信手段を備えた多機能携帯電話機において、アプリケーション用メモリを更に備え、前記中央演算回路は、前記外部からユーザー認証アプリケーションを前記アプリケーション用メモリにダウンロードし、このユーザー認証アプリケーションを用いて前記運転免許所持者の漢字氏名データと前記多機能携帯電話機所持者の漢字氏名データとを照合し、それらが一致するとき一致データを作成し、それらが異なっているとき不一致データを作成することを特徴とする多機能携帯電話機。
【請求項２】
前記運転免許所持者データが、前記運転免許所持者の漢字氏名データの他に、運転免許所持者の住所データおよび生年月日データ、ならびに運転免許証の交付日データおよび運転免許証番号データを備え、前記多機能携帯電話機所持者の属性データが、前記多機能携帯電話機所持者の漢字氏名データの他に、その多機能携帯電話機の携帯電話番号データおよびメールアドレスデータを備えている請求項１の多機能携帯電話機。
【請求項３】
前記中央演算回路は、前記不一致データを作成したとき、その旨を前記モニターに表示するようになっている請求項１または２の多機能携帯電話機。
【請求項４】
請求項１〜３のいずれかに記載の多機能携帯電話機、およびクレジットカード申し込み用顧客基幹系サーバーを備え、前記多機能携帯電話機から送られてきたクレジットカード申込データに基づき、クレジットカードの発行の審査を行う、クレジットカード発行用審査システムであって、前記クレジットカード申込データが、前記運転免許所持者データ、前記多機能携帯電話機所持者の属性データ、ならびに前記運転免許所持者データおよび前記多機能携帯電話機所持者の属性データ以外の多機能携帯電話機に手入力で入力されたクレジットカード申込者のその他属性データを備えるクレジットカード発行用審査システム。
【請求項５】
前記顧客基幹系サーバーは、クレジットカード申込用アプリケーションを記憶したクレジットカード申込用アプリケーション記憶部、クレジットカード申込用画面データを記憶したクレジットカード申込用画面データ記憶部、自社情報による２４時間自動審査と、外部照会による所定時間内自動審査を行う自動審査用処理部、審査結果回答部、時間外受付再審査部、再審査結果回答部および郵送カード発行データ生成部を備えている請求項４のクレジットカード発行用審査システム。
【請求項６】
顧客が前記多機能携帯電話機を操作することにより、顧客基幹系サーバーのクレジットカード申込用画面データ記憶部からクレジットカード申込用画面データを読み出し、該多機能携帯電話機のモニターにクレジットカード申し込み用画面を表示することができるようになっており、顧客が、このクレジットカード申込用画面により前記その他属性データを入力したとき、前記クレジットカード申込用アプリケーションは、前記運転免許所持者データ、前記多機能携帯電話機所持者の属性データおよびその他属性データを合成して、クレジットカード申込データを作成し、これを前記顧客基幹系サーバーに送信し、該顧客基幹系サーバーは、自動審査用処理部でこのクレジットカード申込データを受け、前記所定時間内であるときには、自社情報による自動審査と外部照会による自動審査からなる通常自動審査をリアルタイムに行い、一方、前記所定時間外であるときには、リアルタイムには、自社情報による自動審査のみの暫定自動審査を行って、この暫定自動審査が否の時以外は外部照会未実施による再審査とするようになっている請求項５のクレジットカード発行用審査システム。
【請求項７】
前記顧客基幹系サーバーは、前記暫定自動審査による審査結果が否の時以外のときであって、前記所定時間内となったとき、前記時間外受付再審査部によって前記通常自動審査と同様の自動再審査を行うようになっている請求項６のクレジットカード発行用審査システム。
【請求項８】
前記顧客基幹系サーバーは、前記通常自動審査および暫定自動審査が人的審査を必要とする結果であるとき、人的審査機関の端末に前記クレジットカード申込データを送信するようになっている請求項６または７のクレジットカード発行用審査システム。
【請求項９】
前記顧客基幹系サーバーは、少なくとも前記通常自動審査が可のとき、前記郵送カード発行データ生成部をして、クレジットカード発行データを生成するようになっている請求項６〜８のいずれかのクレジットカード発行用審査システム。
【請求項１０】
前記顧客基幹系サーバーは、少なくとも前記通常自動審査が可のとき、クレジットカード発行前の通信販売における立替払い契約を行うことの出来る仮カード番号を生成する仮カード番号発番部を備えている請求項６〜９のいずれかのクレジットカード発行用審査システム。
【請求項１１】
前記顧客基幹系サーバーの内部に配置されるか、または該顧客基幹系サーバーに接続されて、前記仮カード番号発番部が生成した仮カード番号データを記憶する仮カード番号データ記憶手段が設けられている請求項１０のクレジットカード発行用審査システム。
【請求項１２】
前記顧客基幹系サーバーの内部に配置されるか、または該顧客基幹系サーバーに接続されて、前記郵送カード発行データ生成部が作成した郵送カード発行データを記憶する郵送カード発行データ記憶手段が設けられている請求項５〜１１のいずれかのクレジットカード発行用審査システム。
【請求項１３】
前記顧客基幹系サーバーは、少なくとも前記通常自動審査が可のとき、クレジットカード発行前の通信販売における立替払い契約を行うことの出来る仮カード番号を生成する仮カード番号発番部を備えており、前記クレジットカード発行データはカード番号を有しており、このカード番号は、前記仮カード番号とは異なる番号である請求項９のクレジットカード発行用審査システム。
【請求項１４】
前記クレジットカード発行データは、顧客基幹系サーバーに接続された郵送カード発行装置に送信されるようになっている請求項９または１３のクレジットカード発行用審査システム。
【請求項１５】
前記顧客基幹系サーバーには、人的審査を行うための人的審査端末が接続されており、顧客が前記多機能携帯電話機を操作することにより、顧客基幹系サーバーのクレジットカード申込用画面データ記憶部からクレジットカード申込用画面データを読み出し、該多機能携帯電話機のモニターにクレジットカード申し込み用画面を表示することができるようになっており、顧客が、このクレジットカード申込用画面により前記その他属性データを入力したとき、前記クレジットカード申込用アプリケーションは、前記運転免許所持者データ、前記多機能携帯電話機所持者の属性データおよびその他属性データを合成して、クレジットカード申込データを作成し、これを前記顧客基幹系サーバーに送信し、該顧客基幹系サーバーは、自動審査用処理部でこのクレジットカード申込データを受け、前記所定時間内であるときには、自社情報による自動審査と外部照会による自動審査からなる通常自動審査をリアルタイムに行い、この通常自動審査が可の時には、そのデータを前記仮カード番号発番部に送信し、
前記仮カード番号発番部は、前記データを受け、仮カード番号データを生成し、これを顧客の多機能携帯電話機に送信し、
一方、前記所定時間外であるときには、リアルタイムには、自社情報による自動審査のみの暫定自動審査を行って、この暫定自動審査が否の時以外は外部照会未実施による再審査とし、そのデータを仮カード番号発番部およびポイントデータ生成部に送信するとともに、前記所定時間内となったとき、前記時間外受付再審査部によって前記通常自動審査と同様の自動再審査を行うようになっており、前記仮カード番号発番部発番部は、前記データを受け、仮カード番号データを生成し、これを顧客端末に送信するが、この仮カード番号発番部は、前記再審査が可となるまで使用できないようにし、
前記顧客基幹系サーバーは、前記通常自動審査が可のとき、および前記外部照会未実施による再審査が可のとき、郵送カード発行データ生成部をして、クレジットカード発行データを生成するようになっており、前記通常自動審査、暫定自動審査および前記外部照会未実施による再審査が人的審査を必要とする結果であるとき、前記人的審査機関の端末に前記クレジットカード申込データを送信するようになっている請求項１３のクレジットカード発行用審査システム。
【発明の詳細な説明】
【技術分野】
【０００１】
本発明は、多機能携帯電話機およびそれを用いたクレジットカード発行用審査システムに関するものである。
【背景技術】
【０００２】
特開昭６０−５５４８７号公報には、クレジットカード発行のために、運転免許証における免許証番号を自動的に読み取り、そのデータをホストコンピュータに転送し、取引用カード発行用のための関連事項のチェックを行なうカード自動発行ユニットが記載されている。
そして、特開２００５−２９３５４４号公報には、本人確認装置において、前記免許証番号を読み取る手段として、カメラ付携帯電話のカメラを使用したものが記載されている。
【先行技術文献】
【特許文献】
【０００３】
【特許文献１】特開昭６０−５５４８７号公報
【特許文献２】特開２００５−２９３５４４号公報
【０００４】
しかしながら、特許文献２に記載された本人確認装置においては、携帯電話の機能等を十分に利用していないという欠点がある。
【発明の概要】
【発明が解決しようとする課題】
【０００５】
そこで、本発明は、携帯電話として多機能携帯電話機を用い、その機能等を十分に生かした多機能携帯電話機、およびその多機能携帯電話機を使用したクレジットカード発行用審査システムを提供することを目的とする。
【課題を解決するための手段】
【０００６】
上記の目的は、本発明の下記（１）〜（１５）の構成の多機能携帯電話機、およびそれを用いたクレジットカード発行用審査システムにより達成される。
（１）
中央演算回路、該中央演算回路からの指示を受けて画像を表示するモニター、運転免許証を撮像して、少なくとも運転免許所持者の漢字氏名データを有する運転免許所持者データとし、該運転免許所持者データを前記中央演算回路に送信する撮像手段、少なくとも多機能携帯電話機所持者の漢字氏名データを含む多機能携帯電話機所持者の属性データを記憶した主記憶部、前記中央演算回路の指示を受けて、データの送信を行う送信手段、および前記中央演算回路の指示を受けて、データの受信を行う受信手段を備えた多機能携帯電話機において、アプリケーション用メモリを更に備え、前記中央演算回路は、前記外部からユーザー認証アプリケーションを前記アプリケーション用メモリにダウンロードし、このユーザー認証アプリケーションを用いて前記運転免許所持者の漢字氏名データと前記多機能携帯電話機所持者の漢字氏名データとを照合し、それらが一致するとき一致データを作成し、それらが異なっているとき不一致データを作成することを特徴とする多機能携帯電話機。
（２）
前記運転免許所持者データが、前記運転免許所持者の漢字氏名データの他に、運転免許所持者の住所データおよび生年月日データ、ならびに運転免許証の交付日データおよび運転免許証番号データを備え、前記多機能携帯電話機所持者の属性データが、前記多機能携帯電話機所持者の漢字氏名データの他に、その多機能携帯電話機の携帯電話番号データおよびメールアドレスデータを備えている前記（１）の多機能携帯電話機。
（３）
前記中央演算回路は、前記不一致データを作成したとき、その旨を前記モニターに表示するようになっている前記（１）または（２）の多機能携帯電話機。
（４）
前記（１）〜（３）のいずれかに記載の多機能携帯電話機、およびクレジットカード申し込み用顧客基幹系サーバーを備え、前記多機能携帯電話機から送られてきたクレジットカード申込データに基づき、クレジットカードの発行の審査を行う、クレジットカード発行用審査システムであって、前記クレジットカード申込データが、前記運転免許所持者データ、前記多機能携帯電話機所持者の属性データ、ならびに前記運転免許所持者データおよび前記多機能携帯電話機所持者の属性データ以外の多機能携帯電話機に手入力で入力されたクレジットカード申込者のその他属性データを備えるクレジットカード発行用審査システム。
（５）
前記顧客基幹系サーバーは、クレジットカード申込用アプリケーションを記憶したクレジットカード申込用アプリケーション記憶部、クレジットカード申込用画面データを記憶したクレジットカード申込用画面データ記憶部、自社情報による２４時間自動審査と、外部照会による所定時間内自動審査を行う自動審査用処理部、審査結果回答部、時間外受付再審査部、再審査結果回答部および郵送カード発行データ生成部を備えている前記（４）のクレジットカード発行用審査システム。
（６）
顧客が前記多機能携帯電話機を操作することにより、顧客基幹系サーバーのクレジットカード申込用画面データ記憶部からクレジットカード申込用画面データを読み出し、該多機能携帯電話機のモニターにクレジットカード申し込み用画面を表示することができるようになっており、顧客が、このクレジットカード申込用画面により前記その他属性データを入力したとき、前記クレジットカード申込用アプリケーションは、前記運転免許所持者データ、前記多機能携帯電話機所持者の属性データおよびその他属性データを合成して、クレジットカード申込データを作成し、これを前記顧客基幹系サーバーに送信し、該顧客基幹系サーバーは、自動審査用処理部でこのクレジットカード申込データを受け、前記所定時間内であるときには、自社情報による自動審査と外部照会による自動審査からなる通常自動審査をリアルタイムに行い、一方、前記所定時間外であるときには、リアルタイムには、自社情報による自動審査のみの暫定自動審査を行って、この暫定自動審査が否の時以外は外部照会未実施による再審査とするようになっている前記（５）のクレジットカード発行用審査システム。
（７）
前記顧客基幹系サーバーは、前記暫定自動審査による審査結果が否の時以外のときであって、前記所定時間内となったとき、前記時間外受付再審査部によって前記通常自動審査と同様の自動再審査を行うようになっている前記（６）のクレジットカード発行用審査システム。
（８）
前記顧客基幹系サーバーは、前記通常自動審査および暫定自動審査が人的審査を必要とする結果であるとき、人的審査機関の端末に前記クレジットカード申込データを送信するようになっている前記（６）または（７）のクレジットカード発行用審査システム。
（９）
前記顧客基幹系サーバーは、少なくとも前記通常自動審査が可のとき、前記郵送カード発行データ生成部をして、クレジットカード発行データを生成するようになっている前記（６）〜（８）のいずれかのクレジットカード発行用審査システム。
（１０）
前記顧客基幹系サーバーは、少なくとも前記通常自動審査が可のとき、クレジットカード発行前の通信販売における立替払い契約を行うことの出来る仮カード番号を生成する仮カード番号発番部を備えている前記（６）〜（９）のいずれかのクレジットカード発行用審査システム。
（１１）
前記顧客基幹系サーバーの内部に配置されるか、または該顧客基幹系サーバーに接続されて、前記仮カード番号発番部が生成した仮カード番号データを記憶する仮カード番号データ記憶手段が設けられている前記（１０）のクレジットカード発行用審査システム。
（１２）
前記顧客基幹系サーバーの内部に配置されるか、または該顧客基幹系サーバーに接続されて、前記郵送カード発行データ生成部が作成した郵送カード発行データを記憶する郵送カード発行データ記憶手段が設けられている（５）〜（１１）のいずれかのクレジットカード発行用審査システム。
（１３）
前記顧客基幹系サーバーは、少なくとも前記通常自動審査が可のとき、クレジットカード発行前の通信販売における立替払い契約を行うことの出来る仮カード番号を生成する仮カード番号発番部を備えており、前記クレジットカード発行データはカード番号を有しており、このカード番号は、前記仮カード番号とは異なる番号である前記（９）のクレジットカード発行用審査システム。
（１４）
前記クレジットカード発行データは、顧客基幹系サーバーに接続された郵送カード発行装置に送信されるようになっている前記（９）または（１３）のクレジットカード発行用審査システム。
（１５）
前記顧客基幹系サーバーには、人的審査を行うための人的審査端末が接続されており、顧客が前記多機能携帯電話機を操作することにより、顧客基幹系サーバーのクレジットカード申込用画面データ記憶部からクレジットカード申込用画面データを読み出し、該多機能携帯電話機のモニターにクレジットカード申し込み用画面を表示することができるようになっており、顧客が、このクレジットカード申込用画面により前記その他属性データを入力したとき、前記クレジットカード申込用アプリケーションは、前記運転免許所持者データ、前記多機能携帯電話機所持者の属性データおよびその他属性データを合成して、クレジットカード申込データを作成し、これを前記顧客基幹系サーバーに送信し、該顧客基幹系サーバーは、自動審査用処理部でこのクレジットカード申込データを受け、前記所定時間内であるときには、自社情報による自動審査と外部照会による自動審査からなる通常自動審査をリアルタイムに行い、この通常自動審査が可の時には、そのデータを前記仮カード番号発番部に送信し、
前記仮カード番号発番部は、前記データを受け、仮カード番号データを生成し、これを顧客の多機能携帯電話機に送信し、
一方、前記所定時間外であるときには、リアルタイムには、自社情報による自動審査のみの暫定自動審査を行って、この暫定自動審査が否の時以外は外部照会未実施による再審査とし、そのデータを仮カード番号発番部およびポイントデータ生成部に送信するとともに、前記所定時間内となったとき、前記時間外受付再審査部によって前記通常自動審査と同様の自動再審査を行うようになっており、前記仮カード番号発番部発番部は、前記データを受け、仮カード番号データを生成し、これを顧客端末に送信するが、この仮カード番号発番部は、前記再審査が可となるまで使用できないようにし、
前記顧客基幹系サーバーは、前記通常自動審査が可のとき、および前記外部照会未実施による再審査が可のとき、郵送カード発行データ生成部をして、クレジットカード発行データを生成するようになっており、前記通常自動審査、暫定自動審査および前記外部照会未実施による再審査が人的審査を必要とする結果であるとき、前記人的審査機関の端末に前記クレジットカード申込データを送信するようになっている前記（１３）のクレジットカード発行用審査システム。
【発明の効果】
【０００７】
本発明の多機能携帯電話機においては、前記した構成であるので、その主記憶部が予め記憶している少なくとも多機能携帯電話機所持者の漢字氏名データを用いて、クレジットカード発行用審査等を行うための本人確認を行うことができ、多機能携帯電話機の機能を十分に発揮できる。
【０００８】
また、本発明のクレジットカード発行用審査システムにおいては、多機能携帯電話機の主記憶部に予め記憶された該多機能携帯電話機所持者の属性データおよび多機能携帯電話機の撮像手段を利用して取り込んだ運転免許所持者データを使用してクレジットカード申込データを作成するようにしたので、クレジットカード申込者の労力を大幅に削減することができる。
【図面の簡単な説明】
【０００９】
【図１】本発明の実施の形態によるクレジットカード発行用審査システムの概要を説明するための模式図である。
【図２】所定時間内のクレジットカード発行用審査システムの審査（通常自動審査）の流れの概略を示した図である。
【図３】所定時間外のクレジットカード発行用審査システムの審査（自動再審査）の流れの概略を示した図である。
【図４】クレジットカード申込データの入力画面の一例を示す図である。
【図５】図４の入力画面とは異なったクレジットカード申込データの入力画面の一例を示す図である。
【発明を実施するための形態】
【００１０】
以下、添付図面を参照しつつ本発明の実施の形態によるクレジットカード発行用審査システムに付いて説明する。
図１は、本発明の実施の形態によるクレジットカード発行用審査システム１０の模式図である。
【００１１】
本クレジットカード発行用審査システム１０は、クレジットカード申込者（以下、顧客と称することもある）が所有する多機能携帯電話機１０、およびクレジットカード申し込み用顧客基幹系サーバー３０を備えるクレジットカード発行用審査システムである。
【００１２】
前記多機能携帯電話機１０は、中央演算回路１２、タッチパネル等である入力手段１４、カメラである撮像手段１６、多機能携帯電話機保持者の漢字氏名、携帯電話番号、携帯メールアドレス等を記憶した主メモリ１８、アプリケーション用メモリ２０、信号の送受信を行う送受信手段２２およびモニター２４を備えている。なお、前記送受信手段２２は、送信手段と受信手段が別個に構成されていても良い。そして、前記モニター２４は、タッチパネルとなっていて、入力手段の機能をも果たす。
【００１３】
前記顧客基幹系サーバーは、システムセンター内にあって完全にセキュリティが保たれている。この顧客基幹系サーバー３０は、クレジットカード申込用のアプリケーションを記憶したアプリケーションデータメモリ３１、クレジットカード申込用画面データを記憶した申込用画面データ記憶部３２、自社情報による２４時間自動審査と、外部照会による所定時間内自動審査を行う自動審査用処理部３４、クレジットカードの発行が可となったときに、仮カード番号を含む仮カード番号情報を生成する仮カード番号発番部３６、審査結果回答部４０、時間外受付再審査部４２、再審査結果回答部４４および郵送カード発行データ生成部４６を備えている。
【００１４】
前記多機能携帯電話機１０は、顧客の操作により、中央演算回路１２からの指示で、送受信手段２２を介して、顧客基幹系サーバー３０のアプリケーションデータメモリ３１からクレジットカード申込用アプリケーションを受け、このアプリケーションをアプリケーション用メモリ２０に記憶する。
【００１５】
顧客は、この多機能携帯電話機１０の撮像手段１６により顧客の運転免許証を撮像すると、前記中央演算回路１２は、前記アプリケーションを用いて、運転免許証上の顔写真および運転免許所持者の属性情報を読み込み、これらを運転免許所持者データに変換する。また、前記中央演算回路１２は、前記主メモリ１８から多機能携帯電話機所持者の属性データを読み込む。そして、中央演算回路１２は、クレジットカード申込用アプリケーションを用いて、前記運転免許所持者データの内運転免許所持者の漢字氏名データと多機能携帯電話機所持者の属性データの内多機能携帯電話機所持者の漢字氏名データを比較し、それらが一致するかを判定し、一致した時には「可」の信号を、不一致の時には「否」の信号をそれぞれ作成し、それを発信する。なお、多機能携帯電話機１０の撮像手段１６から取り込む運転免許所持者の属性データとしては、上記漢字氏名データの他に、住所、生年月日、運転免許証交付日および運転免許証番号が挙げられる。
【００１６】
上記判定が不一致で「否」の信号が発信された場合には、クレジットカード申込の謝絶のためのメッセージを多機能携帯電話機１０のモニター２４に表示し、それ以上の手続が出来ないようにしてもよい。すなわち、「可」の信号が発信されたときに、クレジットカード申込の手続を続けられるようにしても良い。
【００１７】
前記のように「可」の信号が発信されたときには、前記中央演算回路１２は、顧客基幹系サーバー３０のクレジットカード申込用画面データ記憶部３２からクレジットカード申込用画面データを読み出し、クレジットカード申込用画面を多機能携帯電話機１０のモニター２４に表示する。クレジットカード申込用画面は、このクレジットカード申込用画面の例を図４および図５に、符号３２Ａおよび３２Ｂを付して示した。これらのクレジットカード申込用画面３２Ａおよび３２Ｂは、それぞれクレジットカード申込者の属性を選択的に入力するラジオボタン欄３２Ａａおよび３２Ｂａ、ならびに通常のモニター２４上に現れるキーを用いての文字入力欄３２Ｂｂを備えている。
【００１８】
これらのクレジットカード申込用画面３２Ａおよび３２Ｂからは、クレジットカード発行に必要なクレジットカード申込者属性データの内、少なくとも運転免許所持者データおよび多機能携帯電話機所持者データを除いた属性データが追加入力される。そのため、このクレジットカード申込用画面は、例えばその申込者が会社員である場合には、図４の画面に示すように、ラジオボタン欄３２Ａａとして、住まい区分選択欄、居住年数選択欄、配偶者あり・なし選択欄、職業種別選択欄等を有し、図５に示すように、ラジオボタン欄３２Ａｂとして、職種選択欄を備えている。
また、文字入力欄３２Ｂｂとしては、図５に示すように、つとめ先名漢字・カタカナ、所属部署等の文字入力欄を備える。
【００１９】
これらのクレジットカード申込者の属性データの入力が全て完了すると、前記クレジットカード申込用アプリケーションは、これらの属性データを合成して、クレジットカード申込データを作成する。
【００２０】
このクレジットカード申込データは、多機能携帯電話機１０の主メモリ１８からの漢字氏名、携帯電話番号、携帯メールアドレス、撮像した画像からの漢字氏名、住所、生年月日、運転免許証交付日、運転免許証番号、追加入力されたカナ氏名、性別、郵便番号、住所、住まい区分、居住年数、配偶者有無、住居費負担有無、扶養家族数、仕事区分、勤務先名（漢字等）、勤務先名（カナ）、従業員数、職種、勤務先電話番号、勤務年数、年収、給料日、他社からの借入額、希望利用枠、暗証番号等を含む。
【００２１】
次に、前記クレジットカード発行用審査システム１０を用いての実際のクレジットカード発行用審査を説明する。
【００２２】
前記クレジットカード申込用アプリケーションは、前記作成されたクレジットカード申込データを顧客基幹系サーバー３０に送信して、クレジットカードの申込を行う。顧客が、このクレジットカード申込データを送信してのクレジットカード申込を行ったとき、顧客基幹系サーバー３０は、自動審査用処理部３４でこのカード申込用顧客データを受け、審査を行う。
【００２３】
自動審査用処理部３４は、前記所定時間内であるときには、自社情報による自動審査と外部照会による自動審査からなる通常自動審査をリアルタイムに行い、この通常自動審査が可の時には、そのデータを仮カード番号発番部３６に送信し、前記仮カード番号発番部３６は、前記データを受け、仮カード番号データを生成し、これを顧客の多機能携帯電話機１０に送信する。なお、仮カード番号データの送信は、審査結果回答部４０によって行われる。
【００２４】
このように、顧客の多機能携帯電話機１０に仮カード番号データが送信されると、顧客は、上記仮カード番号を用いて、クレジットカード発行前のＷｅｂ通信販売等において、立替払い契約で商品の購入を行えるようになる。この仮カード番号を用いての上述の商品の購入は、上記特典ポイントデータで示された特典ポイントを使用して行うことができる。すなわち、３５００円の商品を上記仮カードを用いて購入する際、上記の２０００ポイントを使用でき、したがって、実際の代金は１５００円となる。
【００２５】
以上説明した所定時間内のクレジットカード発行用審査システムの審査（通常自動審査）の流れの概略を図２に示した。
【００２６】
一方、自動審査用処理部３４は，前記所定時間外であるときには、リアルタイムには、自社情報による自動審査のみの暫定自動審査を行って、この暫定自動審査が否の時以外は外部照会未実施による再審査とし、そのデータを仮カード番号発番部３６およびポイントデータ生成部３８に送信し、前記仮カード番号発番部３６は、前記データを受け、仮カード番号データを生成し、これを顧客端末に送信するが、仮カード番号は一旦使用できるようにし、所定時間内の再審査で否のときは、仮カード番号は取り消され、顧客端末に送信されるようになっている。
【００２７】
上記の審査結果が、否の時以外とは、可の結果、および可ではないが人的審査を必要とするという結果の２つである。
【００２８】
前記顧客基幹系サーバー１０は、前記暫定自動審査による審査結果が否の時以外のときであって、前記所定時間内となったとき、前記時間外受付再審査部４２によって前記通常自動審査と同様の自動再審査を行うようになっている。
【００２９】
この時間外受付再審査部４２の自動再審査の結果は、上記通常自動審査の結果と同様にして用いられ、その結果のデータは、再審査結果回答部４４によって、顧客の多機能携帯電話機１０に送信される。
【００３０】
以上説明した所定時間外のクレジットカード発行用審査システムの審査（自動再審査）の流れの概略を図３に示した。
【００３１】
前記顧客基幹系サーバー３０は、前記通常自動審査および自動再審査の結果が人的審査を必要とする結果であるとき、人的審査機関の端末１００に前記クレジットカード申込データを送信するようになっている。この人的審査機関の審査の結果が可であるときには、郵送カード作成処理に入る。
【００３２】
上記したように、前記顧客基幹系サーバーは、郵送カード発行データ生成部４６を有し、前記通常自動審査および自動再審査が可のとき、郵送カード発行データ生成部４６をして、クレジットカード発行データを生成するようになっている。このクレジットカード発行データは、郵送カード発行装置１２０に送信され、この郵送カード発行装置１２０は、上記クレジットカード発行データに基づき実際のクレジットカードを発行し、顧客に郵送するようにする。
【００３３】
前記仮カード番号発番部３６が生成した仮カード番号データを含む仮カード番号生成データは、顧客基幹系サーバー３０の内部に配置されるか、または該顧客基幹系サーバーに接続されて配置されても良い仮カード番号データ記憶手段４８に記憶される。
【００３４】
郵送カード発行データ生成部４６が作成した郵送カード発行データは、顧客基幹系サーバー３０の内部に配置されるか、または該顧客基幹系サーバーに接続されて配置されても良い郵送カード発行データ記憶手段５０に記憶される。
【００３５】
前記クレジットカード発行データはカード番号を有しており、このカード番号は、前記仮カード番号とは異なっている。
【００３６】
前記の審査結果の情報データは、審査情報データファイル５２に記憶される。
【００３７】
前記クレジットカード申込用アプリケーションは、多機能携帯電話機１０の撮像手段１６により撮像したクレジットカード申込者の運転免許証の画面を顧客基幹系サーバー３０に送信し、顧客基幹系サーバー３０は、該サーバーが備える（接続された）モニター５４にその画像をディスプレーする。
この画像と、クレジットカード申込データの内容とを見比べて、画像が正しく変換されたかを確認することが好ましい。
【００３８】
以上説明したように、本発明の多機能携帯電話機においては、前記した構成であるので、その主記憶部が予め記憶している少なくとも多機能携帯電話機所持者の漢字氏名データを用いて、クレジットカード発行用審査等を行うための本人確認を行うことができ、多機能携帯電話機の機能を十分に発揮できる。
【００３９】
また、本発明のクレジットカード発行用審査システムにおいては、多機能携帯電話機の主記憶部に予め記憶された該多機能携帯電話機所持者の属性データおよび多機能携帯電話機の撮像手段を利用して取り込んだ運転免許所持者データを使用してクレジットカード申込データを作成するようにしたので、クレジットカード申込者の労力を大幅に削減することができ、利便性が高い。
【符号の説明】
【００４０】
１０  多機能携帯電話機
１２  中央演算回路
１４  入力手段
１６  撮像手段
１８  主メモリ
２０  アプリケーション用メモリ
２２  送受信手段
２４  モニター
３０  顧客基幹系サーバー
３１  アプリケーションデータメモリ
３２  クレジットカード申込用画面データ記憶部
３４  自動審査用処理部
３６  仮カード番号発番部
３８  ポイントデータ生成部
４０  審査結果回答部
４２  時間外受付再審査部
４４  再審査回答部
４６  郵送カード発行データ生成部
４８  仮カード番号情報データファイル
５０  郵送カード発行データファイル
５２  審査情報データファイル
１００  人的審査機関の端末
１２０  郵送カード発行装置
【要約】      （修正有）【課題】多機能携帯電話機の機能等を十分に生かしたクレジットカード発行用審査システムを提供する。【解決手段】画像を表示するモニター、運転免許証を撮像して、少なくとも運転免許所持者の漢字氏名データを有する運転免許所持者データとし、該運転免許所持者データを中央処理装置に送信する撮像手段、少なくとも多機能携帯電話機所持者の漢字氏名データを含む多機能携帯電話機所持者の属性データを記憶した主記憶部を備えた多機能携帯電話機において、アプリケーション用メモリを更に備え、中央演算回路は、外部からユーザー認証アプリケーションを前記アプリケーション用記憶部にダウンロードし、このユーザー認証アプリケーションを用いて前記運転免許所持者の漢字氏名データと前記多機能携帯電話機所持者の漢字氏名データとを照合し、それらが一致するとき一致データを作成し、それらが異なっているとき不一致データを作成する。【選択図】図１【図１】
0005417541.tif 000002
【図２】
0005417541.tif 000003
【図３】
0005417541.tif 000004
【図４】
0005417541.tif 000005
【図５】
0005417541.tif 000006